(57)【要約】  一つの実施形態に係るユーザ端末は、ネットワークを介さない直接的な端末間通信を可能とするＤ２Ｄ近傍サービスをサポートする。前記ユーザ端末は、ネットワークカバレッジ外において、複数の他のユーザ端末が送信するＤ２Ｄ用同期信号を受信する場合に、前記複数の他のユーザ端末のうちの１つをＤ２Ｄ同期元として選択し、前記Ｄ２Ｄ同期元が送信するＤ２Ｄ用同期信号に同期する制御部を備える。
2015170727.tif 000002
【特許請求の範囲】
【請求項１】
ネットワークを介さない直接的な端末間通信を可能とするＤ２Ｄ近傍サービスをサポートするユーザ端末であって、
ネットワークカバレッジ外において、複数の他のユーザ端末が送信するＤ２Ｄ用同期信号を受信する場合に、前記複数の他のユーザ端末のうちの１つをＤ２Ｄ同期元として選択し、前記Ｄ２Ｄ同期元が送信するＤ２Ｄ用同期信号に同期する制御部を備える
ユーザ端末。
【請求項２】
前記複数の他のユーザ端末は、ネットワークカバレッジ外のユーザ端末である
請求項１に記載のユーザ端末。
【請求項３】
前記制御部は、ネットワークカバレッジ外において、前記ユーザ端末が所定のＤ２Ｄ用同期信号を送信している際に、他のユーザ端末を前記Ｄ２Ｄ同期元として選択したことに応じて、前記所定のＤ２Ｄ用同期信号の送信を停止する
請求項１に記載のユーザ端末。
【請求項４】
前記複数の他のユーザ端末は、ネットワークカバレッジ内のユーザ端末である
請求項１に記載のユーザ端末。
【請求項５】
前記制御部は、前記複数の他のユーザ端末のそれぞれについての信号強度及び優先度の少なくとも一方に基づいて、前記Ｄ２Ｄ同期元を選択する
請求項１に記載のユーザ端末。
【請求項６】
前記制御部は、ネットワークカバレッジ内の他のユーザ端末が送信するＤ２Ｄ用同期信号を参照してＤ２Ｄ用同期信号を生成し、生成したＤ２Ｄ用同期信号を送信する
請求項１に記載のユーザ端末。
【請求項７】
前記制御部は、ネットワークカバレッジ外において、他のユーザ端末から前記ユーザ端末がＤ２Ｄ用同期信号を受信しておらず、かつ、前記ユーザ端末がＤ２Ｄ用同期信号を送信していない場合に、Ｄ２Ｄ通信用リソースプールにおける受信状況の監視を省略する
請求項１に記載のユーザ端末。
【請求項８】
Ｄ２Ｄ通信用リソースプールが、ネットワークカバレッジ内用の第１無線リソースと、ネットワークカバレッジ外用の第２無線リソースと、に分かれており、
前記制御部は、ネットワークカバレッジ内の他のユーザ端末が送信するＤ２Ｄ用同期信号を受信しておらず、かつ、所定の条件が満たされた場合に、前記Ｄ２Ｄ通信用リソースプールのうち前記第２無線リソースにおける受信状況のみを監視し、
前記所定の条件は、ネットワークカバレッジ外の他のユーザ端末から前記ユーザ端末がＤ２Ｄ用同期信号を受信したこと、及び、前記ユーザ端末がＤ２Ｄ用同期信号を送信していること、のうち少なくとも一方である
請求項１に記載のユーザ端末。
【請求項９】
Ｄ２Ｄ通信用リソースプールが、ネットワークカバレッジ内用の第１無線リソースと、ネットワークカバレッジ外用の第２無線リソースと、に分かれており、
前記制御部は、ネットワークカバレッジ内の他のユーザ端末から前記ユーザ端末がＤ２Ｄ用同期信号を受信した場合に、前記第１無線リソース及び前記第２無線リソースのそれぞれにおける受信状況を監視する
請求項１に記載のユーザ端末。
【請求項１０】
前記制御部は、ネットワークカバレッジ内の他のユーザ端末から前記第１無線リソースのうち一部の無線リソースが指定された場合に、前記一部の無線リソースにおける受信状況のみを監視する
請求項９に記載のユーザ端末。
【請求項１１】
ネットワークを介さない直接的な端末間通信を可能とするＤ２Ｄ近傍サービスをサポートするユーザ端末における通信制御方法であって、
ネットワークカバレッジ外において、複数の他のユーザ端末が送信するＤ２Ｄ用同期信号を受信する場合に、前記複数の他のユーザ端末のうちの１つをＤ２Ｄ同期元として選択し、前記Ｄ２Ｄ同期元が送信するＤ２Ｄ用同期信号に同期する
ことを含む通信制御方法。
【発明の詳細な説明】
【技術分野】
【０００１】
本発明は、移動通信システムにおいて用いられるユーザ端末及び通信制御方法に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）近傍サービスの導入が検討されている（非特許文献１参照）。【０００３】
Ｄ２Ｄ近傍サービス（Ｄ２Ｄ  ＰｒｏＳｅ）は、同期がとられた複数のユーザ端末からなる同期クラスタ内で、ネットワークを介さない直接的な通信を可能とするサービスである。Ｄ２Ｄ近傍サービスは、近傍端末を発見するための発見処理（Ｄｉｓｃｏｖｅｒｙ）と、直接的な通信を行う通信処理（Ｃｏｍｍｕｎｉｃａｔｉｏｎ）と、を含む。
【先行技術文献】
【非特許文献】
【０００４】
【非特許文献１】３ＧＰＰ技術報告書  「ＴＲ  ３６．８４３  Ｖ１．０．０」  ２０１４年１月１６日
【発明の概要】
【０００５】
本発明は、ネットワークのカバレッジ外においてもＤ２Ｄ近傍サービスを適切に利用可能とするユーザ端末及び通信制御方法を提供する。
【０００６】
一つの実施形態に係るユーザ端末は、ネットワークを介さない直接的な端末間通信を可能とするＤ２Ｄ近傍サービスをサポートする。前記ユーザ端末は、ネットワークカバレッジ外において、複数の他のユーザ端末が送信するＤ２Ｄ用同期信号を受信する場合に、前記複数の他のユーザ端末のうちの１つをＤ２Ｄ同期元として選択し、前記Ｄ２Ｄ同期元が送信するＤ２Ｄ用同期信号に同期する制御部を備える。
【０００７】
一つの実施形態において、前記複数の他のユーザ端末は、ネットワークカバレッジ外のユーザ端末である。
【０００８】
一つの実施形態において、前記制御部は、ネットワークカバレッジ外において、前記ユーザ端末が所定のＤ２Ｄ用同期信号を送信している際に、他のユーザ端末を前記Ｄ２Ｄ同期元として選択したことに応じて、前記所定のＤ２Ｄ用同期信号の送信を停止する。
【０００９】
一つの実施形態において、前記複数の他のユーザ端末は、ネットワークカバレッジ内のユーザ端末である。
【００１０】
一つの実施形態において、前記制御部は、前記複数の他のユーザ端末のそれぞれについての信号強度及び優先度の少なくとも一方に基づいて、前記Ｄ２Ｄ同期元を選択する。
【００１１】
一つの実施形態において、前記制御部は、ネットワークカバレッジ内の他のユーザ端末が送信するＤ２Ｄ用同期信号を参照してＤ２Ｄ用同期信号を生成し、生成したＤ２Ｄ用同期信号を送信する。
【００１２】
一つの実施形態において、前記制御部は、ネットワークカバレッジ外において、他のユーザ端末から前記ユーザ端末がＤ２Ｄ用同期信号を受信しておらず、かつ、前記ユーザ端末がＤ２Ｄ用同期信号を送信していない場合に、Ｄ２Ｄ通信用リソースプールにおける受信状況の監視を省略する。
【００１３】
一つの実施形態において、Ｄ２Ｄ通信用リソースプールが、ネットワークカバレッジ内用の第１無線リソースと、ネットワークカバレッジ外用の第２無線リソースと、に分かれている。前記制御部は、ネットワークカバレッジ内の他のユーザ端末が送信するＤ２Ｄ用同期信号を受信しておらず、かつ、所定の条件が満たされた場合に、前記Ｄ２Ｄ通信用リソースプールのうち前記第２無線リソースにおける受信状況のみを監視する。前記所定の条件は、ネットワークカバレッジ外の他のユーザ端末から前記ユーザ端末がＤ２Ｄ用同期信号を受信したこと、及び、前記ユーザ端末がＤ２Ｄ用同期信号を送信していること、のうち少なくとも一方である。
【００１４】
一つの実施形態において、Ｄ２Ｄ通信用リソースプールが、ネットワークカバレッジ内用の第１無線リソースと、ネットワークカバレッジ外用の第２無線リソースと、に分かれている。前記制御部は、ネットワークカバレッジ内の他のユーザ端末から前記ユーザ端末がＤ２Ｄ用同期信号を受信した場合に、前記第１無線リソース及び前記第２無線リソースのそれぞれにおける受信状況を監視する。
【００１５】
一つの実施形態において、前記制御部は、ネットワークカバレッジ内の他のユーザ端末から前記第１無線リソースのうち一部の無線リソースが指定された場合に、前記一部の無線リソースにおける受信状況のみを監視する。
【００１６】
一つの実施形態に係る通信制御方法は、ネットワークを介さない直接的な端末間通信を可能とするＤ２Ｄ近傍サービスをサポートするユーザ端末における方法である。前記通信制御方法は、ネットワークカバレッジ外において、複数の他のユーザ端末が送信するＤ２Ｄ用同期信号を受信する場合に、前記複数の他のユーザ端末のうちの１つをＤ２Ｄ同期元として選択し、前記Ｄ２Ｄ同期元が送信するＤ２Ｄ用同期信号に同期することを含む。
【図面の簡単な説明】
【００１７】
【図１】第１実施形態乃至第３実施形態に係るＬＴＥシステムの構成図である。
【図２】第１実施形態乃至第３実施形態に係るＵＥのブロック図である。
【図３】第１実施形態乃至第３実施形態に係るｅＮＢのブロック図である。
【図４】第１実施形態乃至第３実施形態に係る無線インターフェイスのプロトコルスタック図である。
【図５】第１実施形態乃至第３実施形態に係る無線フレームの構成図である。
【図６】第１実施形態乃至第３実施形態に係るカバレッジ内及びカバレッジ外の各シナリオを説明するための図である。
【図７】第１の実施形態に係るＤ２Ｄ近傍サービスの構成図である。
【図８】第１の実施形態に係るＤ２Ｄ近傍サービスの構成図である。
【図９】第２の実施形態に係るＤ２Ｄ近傍サービスの構成図である。
【図１０】第３の実施形態に係るＤ２Ｄ近傍サービスの構成図である。
【図１１】第３の実施形態に係るＤ２Ｄ近傍サービスの構成図である。
【発明を実施するための形態】
【００１８】
[実施形態の概要]
第１実施形態に係るユーザ端末は、ネットワークを介さない直接的な端末間通信を可能とするＤ２Ｄ近傍サービスをサポートするユーザ端末であって、前記Ｄ２Ｄ近傍サービス用の制御信号を受信するための制御用無線リソースに関する情報を記憶する記憶部と、前記Ｄ２Ｄ近傍サービス用の同期信号を送信する送信部と、他のユーザ端末からの、前記同期信号の受信状況と、前記制御用無線リソースにおける前記制御信号の受信状況の監視を行う制御部と、を有し、ネットワークカバレッジ外において、前記制御部が、前記他のユーザ端末から、前記同期信号を受信しておらず、かつ、前記送信部が、前記同期信号を送信していない場合、前記制御部は、前記制御用無線リソースの前記受信状況を監視せず、かつ、前記同期信号の前記受信状況を定期的に監視する。
【００１９】
第２実施形態に係るユーザ端末は、第１実施形態に係るユーザ端末であって、前記制御用無線リソースは、前記ネットワークカバレッジ内用の第１無線リソースと、前記ネットワークカバレッジ外用の第２無線リソースと、に分かれており、前記ユーザ端末が、前記ネットワークカバレッジ外の前記他のユーザ端末が送信する前記同期信号を受信する、若しくは、前記送信部が前記同期信号を送信する場合であって、かつ、前記ネットワークカバレッジ内の前記他のユーザ端末が送信する前記同期信号を受信していない場合、前記制御部は、前記制御用無線リソース内では、前記第２無線リソースの前記受信状況のみを監視する特徴をさらに有する。
【００２０】
第２実施形態に係るユーザ端末は、前記ユーザ端末が、前記ネットワークカバレッジ外の複数の他のユーザ端末が送信する前記同期信号を受信した場合、前記ネットワークカバレッジ外の前記他のユーザ端末のうちの１つのユーザ端末が、送信する前記同期信号に、同期してもよい。
【００２１】
第２実施形態に係るユーザ端末は、前記ユーザ端末が、前記同期信号を送信している際に、前記ネットワークカバレッジ外の前記他のユーザ端末が送信する前記同期信号を受信した場合、前記同期信号の送信を停止してもよい。
【００２２】
第３実施形態に係るユーザ端末は、第１実施形態のユーザ端末であって、前記制御用無線リソースは、前記ネットワークカバレッジ内用の第１無線リソースと、前記ネットワークカバレッジ外用の第２無線リソースと、に分かれており、前記ネットワークカバレッジ内の前記他のユーザ端末が送信する前記同期信号を受信した場合、前記制御部は、前記第１無線リソース、及び、前記第２無線リソースの受信状況を監視する特徴をさらに有する。
【００２３】
第３実施形態に係るユーザ端末は、前記第２無線リソースのうち、前記ネットワークカバレッジ内の前記他のユーザ端末から指定された前記第１無線リソースの一部の受信状況のみを監視してもよい。
【００２４】
第３実施形態に係るユーザ端末は、前記ユーザ端末が、前記ネットワークカバレッジ内の複数の前記他のユーザ端末が送信する前記同期信号を受信した場合、前記ネットワークカバレッジ内の複数の他のユーザ端末のうちの１つのユーザ端末が、送信する前記同期信号に同期してもよい。
【００２５】
第３実施形態に係るユーザ端末は、前記ユーザ端末が同期する前記他のユーザ端末を、前記同期信号の信号強度、前記同期信号の優先度、前記制御用無線リソースのサイズ、の少なくとも１つ以上に基づいて決定してもよい。
【００２６】
第３実施形態に係るユーザ端末は、前記ユーザ端末が、前記ネットワークカバレッジ内の前記他のユーザ端末が送信する前記同期信号を受信している際に、前記ネットワークカバレッジ外の前記他のユーザ端末から同期信号を受信した場合、前記ユーザ端末は、前記ネットワークカバレッジ内の前記他のユーザ端末が送信する前記同期信号を参照して、前記同期信号を生成し、生成した前記同期信号を、前記ネットワークカバレッジ外の前記他のユーザ端末に送信してもよい。
【００２７】
第３実施形態に係るユーザ端末は、電池残量に基づいて、前記同期信号の生成及び、生成した前記同期信号を前記ネットワークカバレッジ外の前記他のユーザ端末に送信するか判断してもよい。
【００２８】
第１乃至第３実施形態に係るユーザ端末において、前記制御信号は、Ｄ２Ｄサービスのデータ送受信に用いる無線リソースを指定する制御信号でもよい。
【００２９】
第１乃至第３実施形態に係るユーザ端末において、前記制御信号は、前記他のユーザ端末を発見するための制御信号でもよい。
【００３０】
第１実施形態に係る通信制御方法は、ネットワークを介さない直接的な端末間通信を可能とするＤ２Ｄ近傍サービスにおける通信制御方法であって、ユーザ端末が、前記Ｄ２Ｄ近傍サービス用の制御信号を受信するための制御用無線リソースに関する情報を記憶するステップと、前記ユーザ端末が、前記Ｄ２Ｄ近傍サービス用の同期信号を送信するステップと、前記ユーザ端末が、他のユーザ端末からの、前記同期信号の受信状況と、前記制御用無線リソースにおける前記制御信号の受信状況の監視を行うステップとを有し、前記ユーザ端末は、ネットワークカバレッジ外において、前記他のユーザ端末から、前記同期信号を受信しておらず、かつ、前記同期信号を送信していない場合、前記ユーザ端末は、前記制御用無線リソースの前記受信状況を監視せず、かつ、前記同期信号の前記受信状況を定期的に監視する。
【００３１】
［第１実施形態］
以下において、本発明をＬＴＥシステムに適用する場合の実施形態を説明する。
【００３２】
（システム構成）
図１は、第１実施形態に係るＬＴＥシステムの構成図である。図１に示すように、第１実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３３】
ＵＥ１００は、ユーザ端末に相当する。ＵＥ１００は、移動型の通信装置であり、接続先のセル（サービングセル）との無線通信を行う。ＵＥ１００の構成については後述する。
【００３４】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３５】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３６】
ＥＰＣ２０は、コアネットワークに相当する。Ｅ−ＵＴＲＡＮ１０及びＥＰＣ２０によりＬＴＥシステムのネットワークが構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００３７】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０は記憶部に相当し、プロセッサ１６０は制御部に相当する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３８】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００３９】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００４０】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４１】
図３は、ｅＮＢ２００のブロック図である。図３に示すように、ｅＮＢ２００は、アンテナ２０１、無線送受信機２１０、ネットワークインターフェイス２２０、メモリ２３０、及びプロセッサ２４０を備える。
【００４２】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００４３】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４４】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４５】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４６】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００４７】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）、ＵＥ１００への割当リソースブロックを決定（スケジューリング）するスケジューラを含む。
【００４８】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４９】
ＰＤＣＰ層は、ヘッダ圧縮・伸張、及び暗号化・復号化を行う。
【００５０】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ接続状態）であり、そうでない場合、ＵＥ１００はアイドル状態（ＲＲＣアイドル状態）である。
【００５１】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００５２】
図５は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５３】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。
【００５４】
ＵＥ１００に割り当てられる無線リソースのうち、周波数リソースはリソースブロックにより構成され、時間リソースはサブフレーム（又はスロット）により構成される。
【００５５】
下りリンクにおいて、各サブフレームの先頭数シンボルの区間は、主に下りリンク制御信号を伝送するための物理下りリンク制御チャネル（ＰＤＣＣＨ）として使用される領域である。また、各サブフレームの残りの部分は、主に下りリンクユーザデータを伝送するための物理下りリンク共有チャネル（ＰＤＳＣＨ）として使用できる領域である。
【００５６】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクユーザデータを伝送するための物理上りリンク共有チャネル（ＰＵＳＣＨ）として使用できる領域である。
【００５７】
（Ｄ２Ｄ近傍サービス）
以下において、Ｄ２Ｄ近傍サービス（Ｄ２Ｄ  ＰｒｏＳｅ）の概要について説明する。
【００５８】
第１実施形態に係るＬＴＥシステムは、Ｄ２Ｄ近傍サービスをサポートする。Ｄ２Ｄ近傍サービスは、同期がとられた複数のユーザ端末からなる同期クラスタ内で、ネットワークを介さない直接的な通信を可能とするサービスである。Ｄ２Ｄ近傍サービスは、近傍端末を発見するための発見処理（Ｄｉｓｃｏｖｅｒｙ）と、直接的な通信を行う通信処理（Ｄ２Ｄ通信）と、を含む。Ｄ２Ｄ通信は、Ｄｉｒｅｃｔ  ｃｏｍｍｕｎｉｃａｔｉｏｎとも称される。
【００５９】
同期クラスタを形成する全ＵＥ１００がセルカバレッジ内に位置するシナリオを「ネットワークカバレッジ内又はカバレッジ内（ＩｎＣ  ：  Ｉｎ  ｃｏｖｅｒａｇｅ）」という。同期クラスタを形成する全ＵＥ１００がセルカバレッジ外に位置するシナリオを「ネットワークカバレッジ外又はカバレッジ外（ＯｏＣ  ：  Ｏｕｔ  ｏｆ  ｃｏｖｅｒａｇｅ）」という。同期クラスタのうち一部のＵＥ１００がセルカバレッジ内に位置し、残りのＵＥ１００がセルカバレッジ外に位置するシナリオを「部分的ネットワークカバレッジ又は部分的カバレッジ（Ｐａｒｔｉａｌ  ｃｏｖｅｒａｇｅ）」という。
【００６０】
図６は、ネットワークカバレッジ内及びネットワークカバレッジ外の各シナリオを説明するための図である。
【００６１】
図６に示すように、ネットワークカバレッジ内では、ｅＮＢ２００がＤ２Ｄ同期元となる。第１実施形態では、Ｄ２Ｄ同期元とは、Ｄ２Ｄ同期信号（Ｄ２ＤＳＳ）を送信しているノード（Ｓｙｎｃｈｒｏｎｉｚａｔｉｏｎ  ｓｏｕｒｃｅ）を指す。また、Ｄ２Ｄ非同期元とは、Ｄ２Ｄ同期信号を送信せずにＤ２Ｄ同期元に同期するノード（Ｕｎ−ｓｙｎｃｈｒｏｎｉｚａｔｉｏｎ  ｓｏｕｒｃｅ）を指す。
【００６２】
ネットワークカバレッジ内では、Ｄ２Ｄ同期元であるｅＮＢ２００は、Ｄ２Ｄ近傍サービスに利用可能な無線リソースを示すＤ２Ｄリソース情報（ＳＡ：  Ｓｃｈｅｄｕｌｉｎｇ  Ａｓｓｉｇｎｍｅｎｔ）等を、ブロードキャスト信号により送信する。Ｄ２Ｄリソース情報は、Ｄｉｓｃｏｖｅｒｙ用の無線リソース（以下、「Ｄｉｓｃｏｖｅｒｙリソース」という）を示す情報及びＤ２Ｄ通信用の無線リソース（以下、「Ｃｏｍｍｕｎｉｃａｔｉｏｎリソース」という）であってもよい。
【００６３】
Ｄ２Ｄ非同期元であるＵＥ１００−１は、ｅＮＢ２００から受信するＤ２Ｄリソース情報に基づいて、Ｄｉｓｃｏｖｅｒｙ及びＤ２Ｄ通信を行う。
【００６４】
一方、ネットワークカバレッジ外では、ｅＮＢ２００が上述の動作をすることができないため、所定のＵＥ１００（図６ではＵＥ１００−２）がＤ２Ｄ同期元となる。Ｄ２Ｄ同期元であるＵＥ１００−２は、Ｄ２Ｄリソース情報をブロードキャスト信号により送信する。Ｄ２Ｄ非同期元であるＵＥ１００−３は、ＵＥ１００−２から受信するＤ２Ｄリソース情報に基づいて、Ｄｉｓｃｏｖｅｒｙ及びＤ２Ｄ通信を行う。
【００６５】
ここで、Ｄ２Ｄリソース情報は、予め定められた無線リソースの領域であるＳＡ受信リソースプール（ＳＡ  ｒｅｃｅｐｔｉｏｎ  ｒｅｓｏｕｒｃｅ  ｐｏｏｌ）で通知されることが想定されている。また、ＵＥ１００が、ネットワークカバレッジ外でもＤ２Ｄリソース情報を受信できるよう、ＳＡ受信リソースプールに関する情報は、ＵＥ１００に予め設定されることが想定されている。
【００６６】
UE１００は、ＳＡ受信リソースプールに関する情報を記憶する記憶部（メモリ１５０）と、Ｄ２Ｄ近傍サービス用の同期信号を送信する送信部（プロセッサ１６０及び無線送受信機１１０等）と、他のＵＥ１００からの前記同期信号の受信状況と、前記制御用無線リソースにおける前記制御信号の受信状況の監視を行う制御部（プロセッサ１６０）と、を有している。
【００６７】
ＵＥ１００は、予め設定されたＳＡリソースプールにて、Ｄ２Ｄリソース情報を受信する可能性があるため、予め設定された全てのＳＡリソースプールを監視する必要がある。図７（Ａ）に示すように、ＵＥ１００−１とＵＥ１００−２は、予め設定されたネットワークカバレッジ内用のＳＡリソースプール（Ｒｘ  ｒｅｓｏｕｒｃｅ  ｐｏｏｌ  ｆｏｒ  ｉｎ−ｃｏｖｅｒａｇｅ）及びネットワークカバレッジ外用のＳＡリソースプール（Ｒｘ  ｒｅｓｏｕｒｃｅ  ｐｏｏｌ  ｆｏｒ  ｏｕｔ−ｏｆ−ｃｏｖｅｒａｇｅ）を監視する。
【００６８】
ＳＡリソースプールを監視することにより、ＵＥ１００−１とＵＥ１００−２は、Ｄ２Ｄリソース情報がＳＡリソースプール内で指定された場合に、Ｄ２Ｄリソース情報を受信することができる。
【００６９】
しかし、ＳＡリソースプール内でＤ２Ｄリソース情報を受信するためには、ＵＥ１００間で同期している必要がある。図７（Ａ）に示すように、ＵＥ１００−１とＵＥ１００−２が同期している場合は、ＳＡリソースプール内で指定されたＤ２Ｄリソースを受信することができる。その一方で、図７（Ｂ）に示すように、ＵＥ１００−１とＵＥ１００−２が同期していない場合は、監視しているＳＡリソースプールの領域が異なるため、Ｄ２Ｄリソース情報を確実に受信することはできない。
【００７０】
ＵＥ１００は、他のＵＥ１００と同期していない場合に、確実にＤ２Ｄリソース情報を受信できないにも係わらず、ＳＡリソースプールを監視し不要な電力を消費してしまうという問題がある。
【００７１】
そこで、本実施形態に係るＵＥ１００は、同期していない場合、或いは同期していない可能性がある場合、ＳＡリソースプールの監視をしない。ＵＥ１００は、ＳＡリソースプールを監視しないことにより、消費電力を低減することが可能となる。
【００７２】
具体的には、ネットワークカバレッジ外に在圏するＵＥ１００は、他のＵＥ１００からＤ２Ｄ用同期信号を受信しておらず、かつ、ＵＥ１００が、Ｄ２Ｄ用同期信号を送信していない場合、ＵＥ１００は、ＳＡリソースプールを監視しない。これにより、消費電力の低減が可能となる。なお、ＵＥ１００は、同期信号の受信状況を定期的に監視し、周辺にＤ２Ｄサービスを行うＵＥ１００が存在するか確認を行う。
【００７３】
図８に、本実施形態に係るＵＥ１００の動作を示す。ネットワークカバレッジ外（ＯｏＣ）に在圏するＵＥ１００−２は、ネットワークカバレッジ内（ＩｎＣ）に在圏するＵＥ１００−１からのＤ２Ｄ用同期信号を受信していない。また、ＵＥ１００−２は、ネットワークカバレッジ外（ＯｏＣ）に在圏するＵＥ１００−３からＤ２Ｄ用同期信号を受信していない。さらに、ＵＥ１００−２は、Ｄ２Ｄ用同期信号を送信していない。このような場合、ＵＥ１００−２は、ネットワークカバレッジ内用のＳＡリソースプール及びネットワークカバレッジ外用のＳＡリソースプールの監視を行わない。
【００７４】
［第２実施形態］
次に本発明に係る第２実施形態について説明する。第１実施形態と共通する部分については説明を省略し、差分についてのみ説明する。
【００７５】
本実施形態では、ＵＥ１００が、ネットワークカバレッジ外に在圏する場合を想定する。ＵＥ１００は、ネットワークカバレッジ外に在圏する他のＵＥ１００からＤ２Ｄ用同期信号を受信する、及び／又は、ＵＥ１００が、Ｄ２Ｄ用同期信号を送信する。ＵＥ１００がネットワークカバレッジ内の他のＵＥ１００が送信する同期信号を受信していない場合、ＵＥ１００は、ＳＡリソースプールのうちネットワークカバレッジ外用のＳＡリソースプールのみ監視する。
【００７６】
ＵＥ１００は、ネットワークカバレッジ外の他のＵＥ１００と同期している、或いはその可能性が高いため、ネットワークカバレッジ外用のＳＡリソースプールを監視する。その一方で、ネットワークカバレッジ内の他のＵＥとは同期していない。この場合は、ネットワークカバレッジ内の他のＵＥ１００からのＤ２Ｄ用リソースの指定を受信できる可能性が低いため、ネットワークカバレッジ内用のＳＡリソースの監視は行わない。
【００７７】
なお、他のＵＥ１００がネットワークカバレッジ内に在圏するか、或いはネットワークカバレッジ外に在圏するかは、Ｄ２Ｄ用同期信号を用いて通知してもよい。Ｄ２Ｄ用同期信号にカバレッジ内、カバレッジ外の情報を含める。或いは、カバレッジ内とカバレッジ外で異なる同期信号のフォーマットを用いる等の手法が考えられる。
【００７８】
図９に、本実施形態に係るＵＥ１００の動作を示す。図９は、ネットワークカバレッジ外（ＯｏＣ）に在圏するＵＥ１００−２が、ネットワークカバレッジ内（ＩｎＣ）に在圏するＵＥ１００−１からのＤ２Ｄ用同期信号を受信していない場合であって、かつ、ネットワークカバレッジ外（ＯｏＣ）に在圏するＵＥ１００−３と同期している場合のＳＡリソースプールの監視状況を表す図である。
【００７９】
ＵＥ１００−２とＵＥ１００−３は、ＵＥ１００−２とＵＥ１００−３の少なくともいずれか一方がＤ２Ｄ用同期信号を送信することにより、互いに同期している。
【００８０】
ＵＥ１００−２は、ＵＥ１００−１のＤ２Ｄ用同期信号を受信していないため、ＵＥ１００−１と同期していない。
【００８１】
この場合には、ＵＥ１００−２は、ＵＥ１００−３と同期していることにより、Ｄ２Ｄ用リソースの指定を受信できるネットワークカバレッジ外用のＳＡリソースプールを監視する。
【００８２】
その一方で、ＵＥ１００−２は、ＵＥ１００−１とは同期しておらず、Ｄ２Ｄ用リソースの指定を受信できる可能性は低いため、ネットワークカバレッジ内用のＳＡリソースプールは監視しない。
【００８３】
ここで、ＵＥ１００は、ネットワークカバレッジ外に位置する複数の他のＵＥから同期信号を受信した場合には、１つの他のＵＥを選択する。
【００８４】
また、ＵＥ１００がＤ２Ｄ用同期信号を送信している際に、ＵＥ１００が他のＵＥ１００からＤ２Ｄ用信号を受信した場合、ＵＥ１００は、Ｄ２Ｄ用同期信号の送信を停止してもよい。
【００８５】
［第３実施形態］
次に本発明に係る第２実施形態について説明する。第１実施形態と共通する部分については説明を省略し、差分についてのみ説明する。
【００８６】
本実施形態では、ＵＥ１００−２がネットワークカバレッジ外に位置する場合において、ＵＥ１００−２は、ネットワークカバレッジ内に在圏するＵＥ１００−１からＤ２Ｄ用同期信号を受信する。この場合には、ＵＥ１００−２は、ネットワークカバレッジ内用のＳＡリソースプールとネットワークカバレッジ外用のＳＡリソースプールの両方の受信状況を監視する。
【００８７】
ネットワークカバレッジ外に在圏する他のＵＥ１００−３が、ネットワーク内のＵＥ１００−１から同期信号を受信している場合、結果としてＵＥ１００−２とＵＥ１００−３が同期していることになる。この場合、ＵＥ１００−２は、ネットワークカバレッジ外用のＳＡリソースプールで、ＵＥ１００−３からＤ２Ｄ用リソースの指定を受けても確実に受信することができる。このようなケースを想定し、カバレッジ内に在圏する他のＵＥ１００−１からＵＥ１００−２がＤ２Ｄ用同期信号を受信している場合、ＵＥ１００−２は、ネットワークカバレッジ内用のＳＡリソースプールのみならず、ネットワークカバレッジ外用のＳＡリソースプールの受信状況を監視する。
【００８８】
図１０に、本実施形態に係るＵＥ１００の動作を示す。ネットワークカバレッジ外に位置するＵＥ１００−２は、ネットワークカバレッジ内に在圏するＵＥ１００−１からＤ２Ｄ用同期信号を受信している。
【００８９】
この場合、ＵＥ１００−２は、ネットワークカバレッジ内用のＳＡリソースプールとネットワークカバレッジ外用のＳＡリソースプールの両方の受信状況を監視する。上述したように、ネットワークカバレッジ外のＵＥ１００−３が、ＵＥ１００−２と同様にＵＥ１００−１からＤ２Ｄ用同期信号を受信している可能性があるためである。
【００９０】
ここで、ネットワークカバレッジ外に在圏するＵＥ１００−２が、ネットワークカバレッジ内に在圏するＵＥ１００−１から、ネットワークカバレッジ内用のＳＡリソースプールの一部を指定する指示を受けた場合、ＵＥ１００−２は、通知されたネットワークカバレッジ内用のＳＡリソースプールの一部と、ネットワークカバレッジ外用のＳＡリソースプールの受信状況を監視する。
【００９１】
なお、ネットワークカバレッジ内用のＳＡリソースプールの指定については、Ｄ２Ｄ用同期信号、或いはＰＤ２ＤＳＣＨ（Ｐｈｙｓｉｃａｌ  Ｄ２Ｄ  Ｓｈａｒｅｄ  Ｃｈａｎｎｅｌ）を用いて行ってもよい。
【００９２】
図１１を用いて、本動作について説明する。ネットワークカバレッジ外に位置するＵＥ１００−２が、ネットワークカバレッジ内に在圏するＵＥ１００−１から、ネットワークカバレッジ内用のＳＡリソースプールＡ（Ｒｘ  ｒｅｓｏｕｒｃｅ  ｐｏｏｌ  ｆｏｒ  ｉｎ−ｃｏｖｅｒａｇｅ  Ａ）の受信状況を監視するように指示を受ける（Ｉｎｄｉｃａｔｉｎｇ  ｐｏｏｌ  Ａ）。そして、ＵＥ１００−２は、ネットワークカバレッジ内用のＳＡリソースプールＡとネットワークカバレッジ外用のＳＡリソースプールの受信監視を行う。ＵＥ１００−２は、ネットワークカバレッジ内用のＳＡリソースプールＢの受信監視は行わない。
【００９３】
なお、ＵＥ１００がネットワークカバレッジ内の複数の他のＵＥ１００が送信するＤ２Ｄ用同期信号を受信した場合、ＵＥ１００は、ネットワークカバレッジ内の複数の他のＵＥ１００のうち１つのＵＥ１００が送信するＤ２Ｄ用同期信号に同期する。
【００９４】
ＵＥ１００は、同期する他のＵＥ１００を、Ｄ２Ｄ用同期信号の信号強度、Ｄ２Ｄ用同期信号の優先度、Ｄ２Ｄ用制御用無線リソースのサイズ等を用いて決定してもよい。
【００９５】
また、ネットワークカバレッジ外のＵＥ１００−２が、ネットワークカバレッジ内の他のＵＥ１００−１が送信するＤ２Ｄ用同期信号を受信している際に、ネットワークカバレッジ外の他のＵＥ１００−３から同期信号を受信した場合、ＵＥ１００−２は、ＵＥ１００−１が送信するＤ２Ｄ用同期信号を参照して、Ｄ２Ｄ用同期信号を生成し、生成したＤ２Ｄ用同期信号をＵＥ１００−３に送信してもよい。
【００９６】
上述した、Ｄ２Ｄ用同期信号の生成及びＵＥ１００−３への送信については、ＵＥ１００−２は、該ＵＥ１００−２の電池残量に基づいて、前記同期信号の生成及び、生成した前記同期信号を送信するか判断してもよい。
【００９７】
［その他の実施形態］
なお、第１乃至第３実施形態では、ＵＥ１００が、Ｄ２Ｄ用ＳＡリソースプールの受信状況を監視する際の動作について記載したが、ＵＥ１００が、他のＤ２Ｄ用ＵＥを発見する動作（Ｄ２Ｄ  Ｄｉｓｃｏｖｅｒｙ）に適用してもよい。
【００９８】
上述した実施形態では、移動通信システムの一例としてＬＴＥシステムを説明したが、ＬＴＥシステムに限定されるものではなく、ＬＴＥシステム以外のシステムに本発明を適用してもよい。
【００９９】
米国仮出願第６１／９９０９００号（２０１４年５月９日出願）の全内容が参照により本願明細書に組み込まれている。
【産業上の利用可能性】
【０１００】
本発明は、通信分野において有用である。
【図１】
2015170727.tif 000003
【図２】
2015170727.tif 000004
【図３】
2015170727.tif 000005
【図４】
2015170727.tif 000006
【図５】
2015170727.tif 000007
【図６】
2015170727.tif 000008
【図７】
2015170727.tif 000009
【図８】
2015170727.tif 000010
【図９】
2015170727.tif 000011
【図１０】
2015170727.tif 000012
【図１１】
2015170727.tif 000013
【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
直接的な端末間通信を可能とするＤ２Ｄ近傍サービスをサポートするユーザ端末であって、
前記ユーザ端末がカバレッジ外である場合において、他のユーザ端末が送信するＤ２Ｄ用同期信号を受信する場合に、前記他のユーザ端末が送信するＤ２Ｄ用同期信号に同期する制御部を備え、
Ｄ２Ｄ通信用リソースプールは、カバレッジ内の１又は複数のユーザ端末が用いる第１無線リソースと、カバレッジ外の１又は複数のユーザ端末が用いる事前設定された第２無線リソースと、を含み、
前記制御部は、前記ユーザ端末がカバレッジ外である場合において、前記事前設定された第２無線リソースにおける受信を監視する
ユーザ端末。
【請求項２】
前記他のユーザ端末は、カバレッジ外のユーザ端末である
請求項１に記載のユーザ端末。
【請求項３】
前記他のユーザ端末は、カバレッジ内のユーザ端末である
請求項１に記載のユーザ端末。
【請求項４】
前記ユーザ端末が複数の他のユーザ端末からＤ２Ｄ用同期信号を受信する場合に、前記制御部は、各Ｄ２Ｄ用同期信号の信号強度に基づいて１つのＤ２Ｄ用同期信号を選択し、前記選択したＤ２Ｄ用同期信号に同期する
請求項１に記載のユーザ端末。
【請求項５】
直接的な端末間通信を可能とするＤ２Ｄ近傍サービスをサポートするユーザ端末であって、
カバレッジ内の他のユーザ端末が送信する第１のＤ２Ｄ用同期信号に同期する制御部を備え、
前記ユーザ端末がカバレッジ外である場合に、前記制御部は、前記第１のＤ２Ｄ用同期信号を参照して第２のＤ２Ｄ用同期信号を生成し、前記第２のＤ２Ｄ用同期信号を送信する
ユーザ端末。
【請求項６】
直接的な端末間通信を可能とするＤ２Ｄ近傍サービスをサポートするユーザ端末に備えられる装置であって、
前記ユーザ端末がカバレッジ外である場合において、他のユーザ端末が送信するＤ２Ｄ用同期信号を受信する場合に、前記他のユーザ端末が送信するＤ２Ｄ用同期信号に同期するプロセッサを備え、
Ｄ２Ｄ通信用リソースプールは、カバレッジ内の１又は複数のユーザ端末が用いる第１無線リソースと、カバレッジ外の１又は複数のユーザ端末が用いる事前設定された第２無線リソースと、を含み、
前記プロセッサは、前記ユーザ端末がカバレッジ外である場合において、前記事前設定された第２無線リソースにおける受信を監視する
装置。
【請求項７】
直接的な端末間通信を可能とするＤ２Ｄ近傍サービスをサポートするユーザ端末に備えられる装置であって、
カバレッジ内の他のユーザ端末が送信する第１のＤ２Ｄ用同期信号に同期するプロセッサを備え、
前記ユーザ端末がカバレッジ外である場合に、前記プロセッサは、前記第１のＤ２Ｄ用同期信号を参照して第２のＤ２Ｄ用同期信号を生成し、前記第２のＤ２Ｄ用同期信号を送信する
装置。
【手続補正３】
【補正対象書類名】明細書
【補正対象項目名】０００６
【補正方法】変更
【補正の内容】
【０００６】
一つの実施形態に係るユーザ端末は、直接的な端末間通信を可能とするＤ２Ｄ近傍サービスをサポートする。前記ユーザ端末は、前記ユーザ端末がカバレッジ外である場合において、他のユーザ端末が送信するＤ２Ｄ用同期信号を受信する場合に、前記他のユーザ端末が送信するＤ２Ｄ用同期信号に同期する制御部を備える。Ｄ２Ｄ通信用リソースプールは、カバレッジ内の１又は複数のユーザ端末が用いる第１無線リソースと、カバレッジ外の１又は複数のユーザ端末が用いる事前設定された第２無線リソースと、を含む。前記制御部は、前記ユーザ端末がカバレッジ外である場合において、前記事前設定された第２無線リソースにおける受信を監視する。
【手続補正４】
【補正対象書類名】明細書
【補正対象項目名】０００７
【補正方法】変更
【補正の内容】
【０００７】
一つの実施形態において、前記他のユーザ端末は、カバレッジ外のユーザ端末である。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
一つの実施形態において、前記他のユーザ端末は、カバレッジ内のユーザ端末である。
【手続補正７】
【補正対象書類名】明細書
【補正対象項目名】００１０
【補正方法】変更
【補正の内容】
【００１０】
一つの実施形態において、前記ユーザ端末が複数の他のユーザ端末からＤ２Ｄ用同期信号を受信する場合に、前記制御部は、各Ｄ２Ｄ用同期信号の信号強度に基づいて１つのＤ２Ｄ用同期信号を選択し、前記選択したＤ２Ｄ用同期信号に同期する。
【手続補正８】
【補正対象書類名】明細書
【補正対象項目名】００１１
【補正方法】変更
【補正の内容】
【００１１】
一つの実施形態に係るユーザ端末は、直接的な端末間通信を可能とするＤ２Ｄ近傍サービスをサポートする。前記ユーザ端末は、カバレッジ内の他のユーザ端末が送信する第１のＤ２Ｄ用同期信号に同期する制御部を備える。前記ユーザ端末がカバレッジ外である場合に、前記制御部は、前記第１のＤ２Ｄ用同期信号を参照して第２のＤ２Ｄ用同期信号を生成し、前記第２のＤ２Ｄ用同期信号を送信する。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
一つの実施形態に係る装置は、直接的な端末間通信を可能とするＤ２Ｄ近傍サービスをサポートするユーザ端末に備えられる。前記装置は、前記ユーザ端末がカバレッジ外である場合において、他のユーザ端末が送信するＤ２Ｄ用同期信号を受信する場合に、前記他のユーザ端末が送信するＤ２Ｄ用同期信号に同期するプロセッサを備える。Ｄ２Ｄ通信用リソースプールは、カバレッジ内の１又は複数のユーザ端末が用いる第１無線リソースと、カバレッジ外の１又は複数のユーザ端末が用いる事前設定された第２無線リソースと、を含む。前記プロセッサは、前記ユーザ端末がカバレッジ外である場合において、前記事前設定された第２無線リソースにおける受信を監視する。
【国際調査報告】
2015170727.tif 000014
2015170727.tif 000015
2015170727.tif 000016
2015170727.tif 000017